(57)【要約】【課題】ラインアレイスピーカの短手方向の部屋の構成面に音波が反射することを防止し、音の明瞭性を一層改善することができるラインアレイスピーカの設置方法、および係る方法でラインアレイスピーカを設置した部屋を提供することを目的とする。【解決手段】壁面１〜壁面４および天井面５、床面６を有する部屋において、ラインアレイスピーカＳ４１とラインアレイスピーカＳ２３がそれぞれ部屋の対角を成す角部４１および角部２３に設置されている。より具体的には、ラインアレイスピーカＳ４１の長手方向を部屋の天地方向に向けるとともに、短手方向において壁面１および壁面４に接するように配置する。【選択図】図１
2010124078.tif 000002
【特許請求の範囲】
【請求項１】
ラインアレイスピーカの短手方向において部屋を構成する構成面に近接させることにより、該構成面を音道として利用できる態様で、前記ラインアレイスピーカを前記部屋の角部に設置するラインアレイスピーカの設置方法。
【請求項２】
前記ラインアレイスピーカの長手方向において前記部屋を構成する他の構成面に近接させるように該ラインアレイスピーカを設置する請求項１に記載のラインアレイスピーカの設置方法。
【請求項３】
前記ラインアレイスピーカの短手方向において部屋の壁を構成する２つの壁面に近接させることにより、該２つの壁面を音道として利用できる態様で、前記ラインアレイスピーカを部屋の角部に設置する請求項１または請求項２に記載のラインアレイスピーカの設置方法。
【請求項４】
前記ラインアレイスピーカを複数用い、該複数のラインアレイスピーカを部屋の対角を成す角部に設置する請求項１〜請求項３のいずれか１項に記載のラインアレイスピーカの設置方法。
【請求項５】
前記ラインアレイスピーカを複数使用し、該複数のラインアレイスピーカを前記部屋の壁面同士により形成された角部の全てに設置する請求項１〜請求項４のいずれか１項に記載のラインアレイスピーカの設置方法。
【請求項６】
前記ラインアレイスピーカの短手方向において部屋の天井を構成する天井面および部屋の壁を形成する壁面に近接させることにより、該天井面および該壁面を音道として利用できる態様で、前記ラインアレイスピーカを部屋の角部に設置する請求項１、請求項２および請求項４のいずれか１項に記載のラインアレイスピーカの設置方法。
【請求項７】
前記ラインアレイスピーカの短手方向において部屋の床を構成する床面および部屋の壁を形成する壁面に近接させることにより、該床面および該壁面を音道として利用できる態様で、前記ラインアレイスピーカを部屋の角部に設置する請求項１、請求項２および請求項４のいずれか１項に記載のラインアレイスピーカの設置方法。
【請求項８】
前記ラインアレイスピーカが平板スピーカで構成されている請求項１〜請求項７のいずれか１項に記載のラインアレイスピーカの設置方法。
【請求項９】
前記ラインアレイスピーカが等波面スピーカで構成されている請求項１〜請求項７のいずれか１項に記載のラインアレイスピーカの設置方法。
【請求項１０】
請求項１〜請求項９のいずれか１項に記載のラインアレイスピーカの設置方法を用いてラインアレイスピーカを設置した部屋。
【請求項１１】
前記ラインアレイスピーカと一体的に形成された請求項１０に記載の部屋。
【請求項１２】
柱状であるとともに、複数のラインアレイスピーカユニットを互いに異なる方向に指向性を有する態様で側面に備えたラインアレイスピーカ。
【発明の詳細な説明】
【技術分野】
【０００１】
本発明は、ラインアレイスピーカの設置方法、係るラインアレイスピーカを設置した部屋およびラインアレイスピーカに関する。特に、音の明瞭性を向上させるラインアレイスピーカの設置方法、係る方法でラインアレイスピーカを設置した部屋、係る設置方法に適したラインアレイスピーカに関する。
【背景技術】
【０００２】
従来の一般的なスピーカは実質的に点音源であると考えられるため、音源から放出された音波は、音源からの距離に比例して、水平方向と垂直方向に拡散し、球状に広がることとなる。そのため、係るスピーカを部屋に設置した場合、スピーカから直接届く音に加え、周囲の壁面、天井面、床面からの反射波が聴取者の耳に届くこととなり、音の明瞭性を損なうこととなり問題となっていた。
【０００３】
また、音が球状に広がる、即ち点音源から３次元的に広がることにより、音圧は音源からの距離の２乗に比例して減衰するので、広い室内において隅々まで必要な音圧を得ようとするとスピーカの出力音量を大きくする必要があるため、スピーカの近くにいる聴取者にとってはうるさすぎる結果となる。また、マイクで拾った音を拡大する場合には、スピーカから出た音声がマイクに入り循環して不快な音を発するハウリングを引き起こすことが問題となるが、スピーカの出力音量を大きくするとこのハウリングが一層生じやすくなる。
【０００４】
係る問題に対して、線音源として機能するラインアレイスピーカが提示されている（例えば、特許文献１、参照。）。ラインアレイスピーカは長手方向に直角な方向に強い指向性を有するため、例えば、ラインアレイスピーカの長手方向を天地方向に合わせて設置した場合、ラインアレイスピーカから放出された音波はラインアレイスピーカからの距離に比例して、水平方向のみに拡散し、円筒状に広がることとなる。従って、ラインアレイスピーカの長手方向即ち、天井側と床側には音波が放射されないため、天井面および床面において反射された音波が聴取者の耳に届くことが防止され、音の明瞭性が改善されるとされている。また、音が円柱状に広がる、即ち線音源から２次元的に広がることにより、ラインアレイスピーカからの距離に比例して音圧が減衰するため、音源からの距離の２乗に比例して減衰する上記点音源に比して距離による音圧減衰が小さい。従って、広い室内において隅々まで必要な音圧を得ようとする場合においても、スピーカから出る音量を点音源より小さくすることができる。また、スピーカ近くの聴取者の耳に届く音圧も点音源に比べ小さくてすむため、スピーカ近くの聴取者がうるさく感じることを防止するとともに、ハウリングの発生も抑制することができるとされている。
【特許文献１】特開２００４−３６３６９７号公報
【発明の開示】
【発明が解決しようとする課題】
【０００５】
しかし、例えば、ラインアレイスピーカの長手方向を天地方向に合わせて設置した場合であっても、音波がラインアレイスピーカの短手方向である左右や後方の壁面において反射することは避けられず、壁面からの反射波が聴取者の耳に届くこととなり、音の明瞭性を損なうことは依然として問題となっていた。
【０００６】
本発明は係る実情を鑑みてなされたもので、ラインアレイスピーカの短手方向の部屋の構成面に音波が反射することを防止し、音の明瞭性を一層改善することができるラインアレイスピーカの設置方法を提供することを目的とする。
【課題を解決するための手段】
【０００７】
本発明に係るラインアレイスピーカの設置方法は、ラインアレイスピーカの短手方向において部屋を構成する構成面に近接させることにより、該構成面を音道として利用できる態様で、前記ラインアレイスピーカを前記部屋の角部に設置する。
【０００８】
上記構成によると、ラインアレイスピーカを用いるため、ラインアレイスピーカの長手方向において近接する構成面においてラインアレイスピーカから出力された音波が反射することを防止することができる。また、その短手方向において部屋の構成面に近接させることにより、構成面を音道として利用できる態様で、ラインアレイスピーカを部屋の角部に設置する。例えば、ラインアレイスピーカの長手方向を天地方向に設置した場合、短手方向において近接する部屋の壁面を音道として使用するため、ラインアレイスピーカから出力された音波が、近接する部屋の壁面において反射することを防止することができる。従って、音の明瞭性を一層改善することができる。
【０００９】
ここで、「部屋の角部に設置する」とは上述のようにラインアレイスピーカの短手方向において近接する部屋の構成面を音道として利用できる態様で設置することであって、従来のようにスピーカの後部の部屋の構成面において反射が生じる態様での設置は含まない。係る設置には、既存の部屋の角部に当該ラインアレイスピーカを設置する場合と、部屋を構築する際または改装する際に、部屋の隅部と一体的にラインアレイスピーカを設置する場合を含むものとする。
【００１０】
本発明に係るラインアレイスピーカの設置方法は、前記ラインアレイスピーカの長手方向において前記部屋を構成する他の構成面に近接させるように設置することが好ましい。
上記構成によると、ラインアレイスピーカの長手方向において部屋を構成する他の構成面に近接させるようにラインアレイスピーカを設置するため、ミラー効果により、ラインアレイスピーカが線音源として機能する距離を延長することが可能となる。従って、音の明瞭性を一層改善することができる距離を延長することができる。
【００１１】
本発明に係るラインアレイスピーカの設置方法は、前記ラインアレイスピーカの短手方向において部屋の壁を構成する２つの壁面に近接させることにより、該２つの壁面を音道として利用できる態様で、前記ラインアレイスピーカを部屋の角部に設置することが好ましい。
【００１２】
上記構成によると、２つの壁面を音道として利用できる態様で、前記ラインアレイスピーカを部屋の角部に設置するため、ラインアレイスピーカの指向性の強い短手方向が壁に対して垂直となり、水平方向に音波が拡散するため、天地方向に音ムラが生じにくい。
【００１３】
本発明に係るラインアレイスピーカの設置方法は、前記ラインアレイスピーカを複数使用し、該複数のラインアレイスピーカを部屋の対角を成す角部に設置することが好ましい。
【００１４】
上記構成によると、複数のラインアレイスピーカを部屋の対角を成す角部に設置するため、音量の均一性が一層向上する。特に、部屋の対角距離が、線音源としての有効距離より大きい場合に有力な方法となる。
【００１５】
本発明に係るラインアレイスピーカの設置方法は、前記ラインアレイスピーカを複数使用し、該複数のラインアレイスピーカを前記部屋の壁面同士により形成された角部の全てに設置することが好ましい。
【００１６】
上記構成によると、複数のラインアレイスピーカを前記部屋の壁面同士により形成された角部の全てに設置するためラインアレイスピーカが設置された部屋の音量の均一性がより一層向上する。特に、部屋の対角距離が、線音源としての有効距離を超えている場合に有効な方法となる。
【００１７】
また、本発明に係るラインアレイスピーカの設置方法は、前記ラインアレイスピーカの短手方向において部屋の天井を構成する天井面および部屋の壁を形成する壁面に近接させることにより、該天井面および該壁面を音道として利用できる態様で、前記ラインアレイスピーカを部屋の角部に設置することも好ましい。
【００１８】
上記構成によると、天井面および壁面を音道として利用できる態様で、前記ラインアレイスピーカを部屋の角部に設置するため、音道の長さは壁面の高さまたは天井面の距離のいずれか小さい距離と一致する。その結果、例えは、壁面の高さに比して水平方向の長さが大きい部屋においてこの方法を使用した場合、ラインアレイスピーカが線音源として機能する距離を壁面の高さと同じ距離に制限することができるため、壁面の高さと同じ距離に限定して、音の明瞭性を改善することができる。
【００１９】
また、本発明に係るラインアレイスピーカの設置方法は、前記ラインアレイスピーカの短手方向において部屋の床を構成する床面および部屋の壁を形成する壁面に近接させることにより、該床面および該壁面を音道として利用できる態様で、前記ラインアレイスピーカを部屋の角部に設置することも好ましい。
【００２０】
上記構成によると、床面および壁面を音道として利用できる態様で、前記ラインアレイスピーカを部屋の角部に設置するため、音道の長さは壁面の高さまたは床面の距離のいずれか小さい距離と一致する。その結果、例えは、壁面の高さに比して水平方向の長さが大きい部屋においてこの方法を使用した場合、ラインアレイスピーカが線音源として機能する距離を壁面の高さと同じ距離に制限することができるため、壁面の高さと同じ距離に限定して、音の明瞭性を改善することができる。
【００２１】
本発明に係るラインアレイスピーカの設置方法は、前記ラインアレイスピーカが薄型平板スピーカにより構成されていることも好ましい。
ラインアレイスピーカが薄型平板スピーカであれば、ラインアレイスピーカの反出力面側を小さく構成することが可能であるため、構成面を音道として利用できる態様で、前記ラインアレイスピーカを部屋の角部に設置することが容易となる。
【００２２】
本発明に係るラインアレイスピーカの設置方法は、前記ラインアレイスピーカが等波面スピーカにより構成されていることも好ましい。
ラインアレイスピーカが等波面スピーカで構成されていれば、出力される音波が略同位相であるため、線音源を一層容易かつ高精度に得ることができる。従って、音の明瞭性を一層改善することができる。
【００２３】
また、本発明に係るラインアレイスピーカの設置方法を用いてラインアレイスピーカを設置した部屋は、部屋内部に明瞭性の高い音を発生させることができるため、会議場等に好適に用いることができる。
【００２４】
更に、本発明に係る部屋は、前記ラインアレイスピーカと一体的に形成されたることにより、一層容易に本発明の効果を得ることが可能となる。例えば、ラインアレイスピーカの反出力側を部屋の壁より外方に埋め込む形で、部屋と一体的にラインアレイスピーカを部屋の角部に設置することができる。係る配置によれば、部屋の内方にはラインアレイスピーカの出力側のみを露出させればよいため、近接する前記部屋の面を音道として利用できる態様でラインアレイスピーカを部屋の角部に設置することが容易である。
【００２５】
本発明に係るラインアレイスピーカは、柱状であるとともに、複数のラインアレイスピーカユニットを互いに異なる方向に指向性を有する態様で側面に備える。
上記構成によると、本発明に係るラインアレイスピーカは、柱状であるため、部屋の角部に設置した場合に邪魔にならず、また意匠上もすっきりとしたデザインとすることが可能となる。更に、互いに異なる方向に指向性を有する態様で側面に複数のラインアレイスピーカユニットを備えるため、例えば、１つのラインアレイスピーカユニットが一方の壁を音道として使用できるとともに、他の１つのラインアレイスピーカユニットが他の一方の壁を音道として使用できる態様で設置することにより、本発明に係るラインアレイスピーカの設置方法を容易に実現することが可能となる。また、複数のラインアレイスピーカユニットを備えるため、１つのラインアレイスピーカによってステレオ効果を得ることも可能となる。
【発明の効果】
【００２６】
本発明によれば、ラインアレイスピーカの長手方向を天地方向に合わせて設置した場合において、波が左右や後方の壁面において反射することを防止し、音の明瞭性を一層改善することができるラインアレイスピーカの設置方法を提供することができる。
【発明を実施するための最良の形態】
【００２７】
（第１の実施形態）
本発明を具体化したラインアレイスピーカの設置方法、およびラインアレイスピーカの設置方法を用いてラインアレイスピーカを設置した部屋の一実施形態を図１〜図８を用いて、以下に説明する。
【００２８】
ラインアレイスピーカを設置した部屋の模式図である図１に示すように、壁面１〜壁面４および天井面５、床面６を有する部屋において、ラインアレイスピーカＳ４１とラインアレイスピーカＳ２３がそれぞれ部屋の対角を成す角部４１および角部２３に設置されている。より具体的には、図２に示すように、ラインアレイスピーカＳ４１の長手方向を部屋の天地方向に向けるとともに、短手方向において壁面１および壁面４に接するように配置する。また、ラインアレイスピーカＳ４１の長手方向の上側は天井面５に接し、ラインアレイスピーカＳ４１の長手方向の下側は床面６に接している。同様に、ラインアレイスピーカＳ２３の長手方向を部屋の天地方向に向けるとともに、短手方向において壁面２および壁面３に接するように配置する。また、ラインアレイスピーカＳ２３の長手方向の上側は天井面５に接し、ラインアレイスピーカＳ２３の長手方向の下側は床面６に接している。
【００２９】
ここで、ラインアレースピーカとは、図３に示すように、複数のスピーカーユニットを直線的に並べて構成したスピーカであって、線音源と機能するスピーカのことである。より具体的には、出力される音の周波数をｆ［ｋＨｚ］、各スピーカーユニットの間隔をｄ［ｍ］とするとき、
【００３０】
【数１】
2010124078.tif 000003
を満たす場合、周波数ｆの音に対してラインアレイスピーカとして機能することが知られている。係る要件を満たすラインアレイスピーカは周波数ｆの音に対して線音源として機能するため、図４（ａ）に示すように、音波が円柱状に広がることが知られている。図４（ｂ）に示すように、通常のスピーカである点音源においては音波が球状に広がるため、音圧は音源からの距離の２乗に比例して減衰するのに対して、ラインアレイスピーカにより発生させられた音圧は音源からの距離に比例して減衰する。従って、点音源である通常のスピーカを用いた場合より、音源からの距離による減衰が少ないため、音源近傍の音圧を点音源の場合より小さくしても遠くまで必要な音圧を保つことができる。また、線音源であるラインアレイスピーカは円柱状の波面を発生させるため、図５（ａ）に示すように、長手方向、即ち、本実施形態においては天地方向に音波を発しない。従って、天井面５および床面６に音波が到達しないため、図５（ｂ）に示すような、天井面５および床面６による反射波による音の明瞭性の低下が抑制される。
【００３１】
更に、本実施形態においてはラインアレイスピーカＳ４１の短手方向において部屋の壁を構成する２つの壁面１および壁面４に近接させることにより、壁面１および壁面４を音道として利用できる態様で、ラインアレイスピーカＳ４１を部屋の角部４１に設置している。従って、図６（ａ）に示すように、壁面１および壁面４による音の反射も防止されるため、一層音の明瞭性の低下が抑制されている。従来のラインアレイスピーカの設置方法においては図６（ｂ）に示すように、ラインアレイスピーカの側方や、後方（反出力側）における壁面１および壁面４の音波の反射を防止することができず、音の明瞭性の低下要因となっていた。
【００３２】
ところで、ラインアレイスピーカが線音源として機能する距離（以下、「有効距離」とする。）には制限があることが知られている。より具体的には、有効距離をＣＤ［ｍ］、ラインアレイスピーカの長手方向の長さをＬ［ｍ］、周波数ｆ［Ｈｚ］とすると、
【００３３】
【数２】
2010124078.tif 000004
の関係が知られている。例えば、ラインアレイスピーカの長手方向の長さＬ［ｍ］が０．９［ｍ］で、周波数ｆ［Ｈｚ］が２０００［Ｈｚ］の音を発生させた場合、有効距離をＣＤ［ｍ］は２．３［ｍ］となる。ここで、発生させる音の周波数を変えずに有効距離ＣＤを延長するためには、ラインアレイスピーカの長手方向の長さＬを長くすることが必要となるが、単純に長いラインアレイスピーカを使用すると、イニシャルコスト、ランニングコストともに大きくなる。また、ラインアレイスピーカの長手方向を部屋の天地方向に一致させて設置する場合には、ラインアレイスピーカの長手方向の大きさを部屋の床から天井までの距離以上とすることは不可能である。
【００３４】
本実施形態においては、更にラインアレイスピーカＳ４１はラインアレイスピーカＳ４１の長手方向において天井面および床面に近接させるように設置されている。そのため、ミラー効果により、ラインアレイスピーカの長手方向の長さを天井方向および床方向に同距離だけ延長した場合、つまり３倍に延長した場合と同様の効果を得ることができる。
【００３５】
従って、実際のラインアレイスピーカの長手方向の長さＬ１とすると、仮想的なラインアレイスピーカの長手方向の長さは３Ｌ１となるため、３Ｌ１を式（２）に代入して、
【００３６】
【数３】
2010124078.tif 000005
即ち、ラインアレイスピーカが線音源として機能する距離を３２＝９倍に延長することが可能となる。つまり、音の明瞭性を改善することができる距離を９倍に延長することができる。例えばラインアレイスピーカの長手方向の長さＬ１［ｍ］が０．９［ｍ］で、周波数ｆ［Ｈｚ］が２０００［Ｈｚ］の音を発生させた場合、図７に示すように、有効距離ＣＤ［ｍ］は２１［ｍ］となる。
【００３７】
ラインアレイスピーカＳ４１は部屋と一体的に形成されている。より具体的には、図８に示すように、ラインアレイスピーカＳ４１の反出力側は壁面１および壁面４より更に外方に埋め込む形で備えられているため、部屋の内方にはラインアレイスピーカＳ４１の出力側のみが露出している。係る構造をとることによって、意匠上すっきりとした優れたデザインを得られるとともに、壁面１および壁面４を音道として利用する構造を容易に形成することが可能となる。
【００３８】
なお、上記説明では主にラインアレイスピーカＳ４１を例示して説明を行ったが、ラインアレイスピーカＳ２３についても同様であるためその構造を及び機能の説明を繰り返さない。
【００３９】
上記実施形態のラインアレイスピーカの設置方法、および係る設置方法によってラインアレイスピーカが設置された部屋によって、以下のような効果を得ることができる。
（１）ラインアレイスピーカＳ４１を用いるため、ラインアレイスピーカの長手方向において近接する構成面である天井面５および床面６においてラインアレイスピーカＳ４１から出力された音波が反射することを防止することができる。また、ラインアレイスピーカＳ４１をその短手方向において部屋の構成面である壁面１および壁面４に近接させることにより、壁面１および壁面４を音道として利用できる態様で、ラインアレイスピーカＳ４１を部屋の角部４１に設置する。従って、ラインアレイスピーカＳ４１から出力された音波が、近接する部屋の壁面１および壁面４において反射することを防止することができるため、音の明瞭性を一層改善することができる。
【００４０】
（２）また、ラインアレイスピーカＳ４１をラインアレイスピーカＳ４１の長手方向において部屋を構成する他の構成面である天井面５および床面６に近接させるように設置するため、ミラー効果により、ラインアレイスピーカＳ４１が線音源として機能する距離を延長することが可能となる。従って、音の明瞭性を一層改善することができる距離を延長することができる。
【００４１】
（３）また特に、２つの壁面１および壁面４を音道として利用できる態様で、前記ラインアレイスピーカを部屋の角部４１に設置するため、ラインアレイスピーカＳ４１の指向性の強い短手方向が壁面１および壁面４に対して垂直となり、水平方向に音波が拡散するため、天地方向に音ムラが生じにくい。
【００４２】
（４）ラインアレイスピーカＳ４１とラインアレイスピーカＳ２３とを部屋の対角を成す角部４１と角部２３とに設置するため、音量の均一性が一層向上する。特に、部屋の対角距離即ち、角部４１から角部２３までの距離が、ラインアレイスピーカＳ４１の線音源としての有効距離より大きい場合に有力な方法となる。
【００４３】
（５）また、本実施形態に係る設置方法によりラインアレイスピーカを設置した部屋は、部屋内部に明瞭性の高い音を発生させることができるため、会議場等に好適に用いることができる。
【００４４】
（６）更に、ラインアレイスピーカＳ４１およびラインアレイスピーカＳ２３は部屋と一体的に形成されているため、本発明に係る部屋は、一層容易に本発明の効果を得ることが可能となる。即ち、ラインアレイスピーカＳ４１およびラインアレイスピーカＳ２３の反出力側を部屋の壁より外方に埋め込む形で、部屋と一体的にラインアレイスピーカＳ４１およびラインアレイスピーカＳ２３を部屋の角部４１と角部２３とに設置している。従って、部屋の内方にはラインアレイスピーカＳ４１およびラインアレイスピーカＳ２３の出力側のみが露出しており、壁面１および壁面４、壁面２および壁面３を音道としてそれぞれ利用できる態様でラインアレイスピーカＳ４１およびラインアレイスピーカＳ２３をそれぞれ部屋の角部４１および角部２３に設置することが容易である。
【００４５】
（第２の実施形態）
次に、本発明を具体化したラインアレイスピーカの設置方法、およびラインアレイスピーカの設置方法を用いてラインアレイスピーカを設置した部屋の第２の実施形態を図９を用いて説明する。なお、第２の実施形態は、第１の実施形態のラインアレイスピーカの設置位置を変更したのみの構成であるため、同様の部分についてはその詳細な説明を省略する。
【００４６】
図９に示すように、第２の実施形態において、ラインアレイスピーカを複数使用し、複数のラインアレイスピーカを部屋の壁面１〜壁面４により形成された角部１２，２３,３４，４１の全てに設置する。より具体的にはラインアレイスピーカＳ１２の長手方向を部屋の天地方向に向けるとともに、短手方向において壁面１および壁面２に接するように配置する。また、ラインアレイスピーカＳ１２の長手方向の上側は天井面５に接し、ラインアレイスピーカＳ１２の長手方向の下側は床面６に接している。同様に、ラインアレイスピーカＳ２３の長手方向を部屋の天地方向に向けるとともに、短手方向において壁面２および壁面３に接するように配置する。また、ラインアレイスピーカＳ２３の長手方向の上側は天井面５に接し、ラインアレイスピーカＳ１２の長手方向の下側は床面６に接している。同様に、ラインアレイスピーカＳ３４の長手方向を部屋の天地方向に向けるとともに、短手方向において壁面３および壁面４に接するように配置する。また、ラインアレイスピーカＳ３４の長手方向の上側は天井面５に接し、ラインアレイスピーカＳ３４の長手方向の下側は床面６に接している。同様に、ラインアレイスピーカＳ４１の長手方向を部屋の天地方向に向けるとともに、短手方向において壁面４および壁面１に接するように配置する。また、ラインアレイスピーカＳ４１の長手方向の上側は天井面５に接し、ラインアレイスピーカＳ４１の長手方向の下側は床面６に接している。
【００４７】
従って、第２の実施形態によれば、第１の実施形態に記載の効果に加えて以下の効果を得ることができる。
（１）第２の実施形態によると、複数のラインアレイスピーカＳ１２，Ｓ２３，Ｓ３４，Ｓ４１を部屋の壁面同士により形成された角部１２，２３，３４，４１の全てに設置するためラインアレイスピーカが設置された部屋の音量の均一性がより一層向上する。特に、部屋の隣り合う角間の距離が、線音源としての有効距離を超えている場合に有効な方法となる。即ち、部屋の長辺である角部１２と角部２３がラインアレイスピーカＳ１２の線音源としての有効距離ＣＤを超えている場合において有効な設置方法である。
【００４８】
（第３の実施形態）
次に、本発明を具体化したラインアレイスピーカの設置方法、およびラインアレイスピーカの設置方法を用いてラインアレイスピーカを設置した部屋の第３の実施形態を図１０
を用いて説明する。なお、第３の実施形態は、第１の実施形態および第２の実施形態のラインアレイスピーカの設置位置を変更したのみの構成であるため、同様の部分についてはその詳細な説明を省略する。
【００４９】
図１０に示すように、第３の実施形態において、ラインアレイスピーカを複数使用し、複数のラインアレイスピーカを短手方向において部屋の天井面および壁面に近接させる。このとき、天井面および壁面を音道として利用できる態様で、前記ラインアレイスピーカを部屋の角部に設置する。より具体的にはラインアレイスピーカＳ１５の長手方向を部屋の水平方向であって角部１５と同方向に向けるとともに、短手方向において壁面１および天井面５に接するように配置する。また、ラインアレイスピーカＳ１５の長手方向の一方側は壁面２に接し、他方側は壁面４に接している。同様に、ラインアレイスピーカＳ３５の長手方向を部屋の水平方向であって角部３５と同方向に向けるとともに、短手方向において壁面３および天井面５に接するように配置する。また、ラインアレイスピーカＳ３５の長手方向の一方側は壁面２に接し、他方側は壁面４に接している。
【００５０】
ここで、壁面１の高さは、壁面１に直交する方向の天井面５の長さ、即ちラインアレイスピーカＳ１５とラインアレイスピーカＳ３５との距離より短いため、音道は壁面１の高さにより規定される。その結果、ラインアレイスピーカＳ１５から壁面１の高さと同じ距離以上に離れた場所では、ラインアレイスピーカＳ１５は線音源として有効に機能せず、音圧が急激に減衰する。従って、ラインアレイスピーカＳ１５から発せられた音声が明瞭に聞き取れる範囲をラインアレイスピーカＳ１５から壁面１の高さと同じ距離に限定することができる。一方ラインアレイスピーカＳ３５についても同様に、ラインアレイスピーカＳ３５から壁面３の高さと同じ距離以上に離れた場所では、ラインアレイスピーカＳ３５は線音源として有効に機能せず、音圧が急激に減衰する。従って、ラインアレイスピーカＳ３５から発せられた音声が明瞭に聞き取れる範囲をラインアレイスピーカＳ３５から壁面３の高さと同じ距離に限定することができる。よって、仮にラインアレイスピーカＳ１５とラインアレイスピーカＳ３５とが異なる音声を流した場合においても、ラインアレイスピーカＳ１５の近傍においてはラインアレイスピーカＳ３５の発する音声は大きく減衰しているため、ラインアレイスピーカＳ１５の音声のみを明瞭に聞き取ることができる。また、ラインアレイスピーカＳ３５の近傍においてはラインアレイスピーカＳ１５の発する音声は大きく減衰しているため、ラインアレイスピーカＳ３５の発する音声のみを明瞭に聞き取ることができる。
【００５１】
従って、第３の実施形態によれば、第１の実施形態に記載の効果にかえて以下の効果を得ることができる。
（１）天井面５および壁面１を音道として利用できる態様で、ラインアレイスピーカＳ１５を部屋の角部に設置するため、音道の長さは壁面１の高さまたは壁面１に直交する方向の天井面５の長さと一致する。その結果、本実施形態における部屋は、壁面１の高さに比して壁面１に直交する方向の天井面５の長さが大きい部屋であるため、係る方法により、ラインアレイスピーカＳ１５が線音源として機能する距離を壁面の高さと同じ距離に制限することができる。従って、壁面１の高さと同じ距離に限定して、音の明瞭性を改善することができる。
【００５２】
更に、天井面５および壁面３を音道として利用できる態様で、ラインアレイスピーカＳ３５を部屋の角部に設置するため、音道の長さは壁面３の高さまたは壁面３に直交する方向の天井面５の長さのいずれか小さい距離と一致する。その結果、本実施形態における部屋は、壁面１の高さに比して壁面３に直交する方向の天井面５の長さが大きい部屋であるため、係る方法により、ラインアレイスピーカＳ１５が線音源として機能する距離を壁面の高さと同じ距離に制限することができる。従って、壁面１の高さと同じ距離に限定して、音の明瞭性を改善することができる。係る構成は、聴取者が床面６よりも天井面５に近い位置において音声を聴取する場合に特に有効となる。例えば、聴取者が立った状態で音声を聴取する場合等に有効である。
【００５３】
（第４の実施形態）
次に、本発明を具体化したラインアレイスピーカの設置方法、およびラインアレイスピーカの設置方法を用いてラインアレイスピーカを設置した部屋の第４の実施形態を説明する。なお、第４の実施形態は、第１〜第３の実施形態のラインアレイスピーカの設置位置を変更したのみの構成であるため、同様の部分についてはその詳細な説明を省略する。
【００５４】
図１１に示すように、第４の実施形態において、ラインアレイスピーカを複数使用し、複数のラインアレイスピーカをラインアレイスピーカの短手方向において部屋の床面および壁面に近接させる。このとき、床面および壁面を音道として利用できる態様で、前記ラインアレイスピーカを部屋の角部に設置する。より具体的にはラインアレイスピーカＳ１６の長手方向を部屋の水平方向であって角部１６と同方向に向けるとともに、短手方向において壁面１および床面６に接するように配置する。また、ラインアレイスピーカＳ１６の長手方向の一方側は壁面２に接し、他方側は壁面４に接している。同様に、ラインアレイスピーカＳ３６の長手方向を部屋の水平方向であって角部３６と同方向に向けるとともに、短手方向において壁面３および床面６に接するように配置する。また、ラインアレイスピーカＳ３６の長手方向の一方側は壁面２に接し、他方側は壁面４に接している。
【００５５】
ここで、壁面１の高さは、壁面１と直交する方向における床面６の長さ、即ちラインアレイスピーカＳ１６とラインアレイスピーカＳ３６との距離より短いため、音道は壁面１の高さにより規定される。その結果、ラインアレイスピーカＳ１６から壁面１の高さと同じ距離以上に離れた場所では、ラインアレイスピーカＳ１６は線音源として有効に機能せず、音圧が急激に減衰する。従って、ラインアレイスピーカＳ１６から発せられた音声が明瞭に聞き取れる範囲をラインアレイスピーカＳ１６から壁面１の高さと同じ距離に限定することができる。一方ラインアレイスピーカＳ３６についても同様に、ラインアレイスピーカＳ３６から壁面３の高さと同じ距離以上に離れた場所では、ラインアレイスピーカＳ３６は線音源として有効に機能せず、音圧が急激に減衰する。従って、ラインアレイスピーカＳ３６から発せられた音声が明瞭に聞き取れる範囲をラインアレイスピーカＳ３６から壁面３の高さと同じ距離に限定することができる。つまり、仮にラインアレイスピーカＳ１６とラインアレイスピーカＳ３６とが異なる音声を流した場合においても、ラインアレイスピーカＳ１６の近傍においてはラインアレイスピーカＳ３６の発する音声は大きく減衰しているため、ラインアレイスピーカＳ１６の音声のみ聞き取ることができる。また、ラインアレイスピーカＳ３６の近傍においてはラインアレイスピーカＳ１６の発する音声は大きく減衰しているため、ラインアレイスピーカＳ３６の発する音声のみ聞き取ることができる。
【００５６】
従って、第４の実施形態によれば、第３の実施形態に記載の効果にかえて以下の効果を得ることができる。
（１）床面６および壁面１を音道として利用できる態様で、ラインアレイスピーカＳ１６を部屋の角部に設置するため、音道の長さは壁面１の高さまたは床面６の距離のいずれか小さい距離と一致する。その結果、本実施形態においては、壁面１の高さに比して床面６の水平方向の長さが大きい部屋であるため、係る方法により、ラインアレイスピーカＳ１６が線音源として機能する距離を壁面の高さと同じ距離に制限することができる。従って、壁面１の高さと同じ距離に限定して、音の明瞭性を改善することができる。
【００５７】
更に、床面６および壁面３を音道として利用できる態様で、ラインアレイスピーカＳ３６を部屋の角部に設置するため、音道の長さは壁面３の高さまたは床面６の距離のいずれか小さい距離と一致する。その結果、本実施形態においては、壁面３の高さに比して床面６の水平方向の長さが大きい部屋であるため、係る方法により、ラインアレイスピーカＳ３６が線音源として機能する距離を壁面の高さと同じ距離に制限することができる。従って、壁面３の高さと同じ距離に限定して、音の明瞭性を改善することができる。係る構成は、聴取者が天井面５よりも床面６に近い位置において音声を聴取する場合に特に有効となる。例えば、聴取者が腰掛けて音声を聴取する場合等に有効である。
【００５８】
（第５の実施形態）
次に、本発明を具体化したラインアレイスピーカの設置方法、およびラインアレイスピーカの設置方法を用いてラインアレイスピーカを設置した部屋の第５の実施形態を説明する。なお、第５の実施形態は、第１の実施形態のラインアレイスピーカを変更したのみの構成であるため、同様の部分についてはその詳細な説明を省略する。
【００５９】
ラインアレイスピーカを設置した部屋の模式図である図１２に示すように、壁面１〜壁面４および天井面５、床面６を有する部屋において、ラインアレイスピーカＳ４１とラインアレイスピーカＳ２３がそれぞれ部屋の対角を成す角部４１および角部２３に設置されている。より具体的には、図１３に示すように、ラインアレイスピーカＳ４１の長手方向を部屋の天地方向に向けるとともに、短手方向において壁面１および壁面４に接するように配置する。また、ラインアレイスピーカＳ１２の長手方向の上側は天井面５に接し、ラインアレイスピーカＳ１２の長手方向の下側は床面６に接している。同様に、ラインアレイスピーカＳ２３の長手方向を部屋の天地方向に向けるとともに、短手方向において壁面２および壁面３に接するように配置する。また、ラインアレイスピーカＳ２３の長手方向の上側は天井面５に接し、ラインアレイスピーカＳ１２の長手方向の下側は床面６に接している。
【００６０】
ここで、第５の実施形態においては、互いに異なる方向に指向性を有する態様で複数のラインアレイスピーカユニットを側面に備えた柱状のラインアレイスピーカを使用する点に特徴を有する。より具体的には、図１４に示すようにラインアレイスピーカＳ４１は四角柱型のスピーカであって、４つの側面のうち１つの側面にラインアレイスピーカユニットＳ４１Ｌを、係る側面と交差する他の１つの側面にラインアレイスピーカユニットＳ４１Ｒを備えている。ラインアレイスピーカユニットＳ４１ＬとラインアレイスピーカユニットＳ４１Ｒとは互いに短手方向が交差する方向に配置されているため、互いに異なる方向に指向性を有する態様となる。
【００６１】
係るラインアレイスピーカＳ４１は柱状であるため、部屋の角部４１に設置すると、部屋の柱部分を成す膨らみであるかのような外観を呈する。特にデザイン、色彩等を壁面１および壁面４と統一感のあるものにした場合には、意匠上もすっきりした外観を呈することとなる。
【００６２】
また、ラインアレイスピーカユニットＳ４１Ｌの指向性が壁面１と、ラインアレイスピーカユニットＳ４１Ｒの指向性が壁面４と、それぞれ平行であるため、壁面１はラインアレイスピーカユニットＳ４１Ｌから発せられる音の音道として、壁面４はラインアレイスピーカユニットＳ４１Ｒから発せられる音の音道としてそれぞれ利用される。即ち、ラインアレイスピーカＳ４１は部屋の角に押し付けるように設置するのみで、本発明の効果を容易に得ることが出来る。
【００６３】
また、ラインアレイスピーカＳ４１はラインアレイスピーカユニットＳ４１ＬおよびラインアレイスピーカユニットＳ４１Ｒの２つのラインアレイスピーカユニットを備えるため、１つのラインアレイスピーカＳ４１によってステレオ効果を得ることも可能となる。即ち、ラインアレイスピーカユニットＳ４１Ｌに左チャンネルの音声信号を入力し、ラインアレイスピーカユニットＳ４１Ｒに右チャンネルの音声信号を入力すれば良い。
【００６４】
なお、上記説明では主にラインアレイスピーカＳ４１を例示して説明を行ったが、ラインアレイスピーカＳ２３についても同様であるためその構造を及び機能の説明を繰り返さない。
【００６５】
従って、第５の実施形態によれば、第１の実施形態に記載の効果に加えて以下の効果を得ることができる。
（１）第５の実施形態に係るラインアレイスピーカＳ４１は、四角柱状であるため、部屋の角部に設置した場合に邪魔にとらず、また意匠上もすっきりとしたデザインとすることが可能となる。こればラインアレイスピーカＳ２３についても同様である。
【００６６】
（２）第５の実施形態に係るラインアレイスピーカＳ４１は、側面に互いに異なる方向に指向性を有する態様で、２つのラインアレイスピーカユニットＳ４１ＬおよびラインアレイスピーカユニットＳ４１Ｒを備える。従って、ラインアレイスピーカユニットＳ４１Ｌが壁面１を音道として使用できるとともに、ラインアレイスピーカユニットＳ４１Ｒが壁面４を音道として使用できる態様で設置することにより、本発明に係るラインアレイスピーカの設置方法を容易に実現することが可能となる。こればラインアレイスピーカＳ２３についても同様である。
【００６７】
（３）第５の実施形態に係るラインアレイスピーカＳ４１は、２つのラインアレイスピーカユニットＳ４１ＬおよびラインアレイスピーカユニットＳ４１Ｒを備えるため、ラインアレイスピーカＳ４１のみによってステレオ効果を得ることも可能となる。こればラインアレイスピーカＳ２３についても同様である。
【００６８】
なお、上記第１〜第５の実施形態は以下のように変更してもよい。
・ラインアレイスピーカを薄型平板スピーカとしても良い。ラインアレイスピーカが薄型平板スピーカであれば、ラインアレイスピーカの反出力面側を小さく構成することが可能であるため、構成面を音道として利用できる態様で、ラインアレイスピーカを部屋の角部に設置することが容易となる。薄型平板スピーカとしては、例えば、特開平９―３３１５９６に示される薄型電磁変換器をスピーカとして利用することが考えられる。
【００６９】
・ラインアレイスピーカを等波面スピーカにより構成しても良い。ラインアレイスピーカが等波面スピーカで構成されていれば、出力される音波が出力面において略同位相であるため、線音源を一層容易かつ高精度に得ることができる。従って、音の明瞭性を一層改善することができる。等波面スピーカとしては例えば、ＷＯ２００４／０８６８１２に記載のスピーカシステム用音波案内構造を備えたホーンスピーカ等を用いて実現することが可能である。
【００７０】
・上記実施形態においてはラインアレイスピーカは部屋と一体的に構成されているが、他の構成であっても良い。要は部屋の壁面等の構成面を音道として利用できる態様でスピーカを設置すればよいのである。特に、上述の薄型平板スピーカを使用した場合は、反出力面側を小さく構成することが可能であるため、特段に薄型平板スピーカの反出力側を壁より外方に埋め込む構造を有さなくとも、角部に押し付けるように設置することによって上記効果を得ることが可能となる。
【００７１】
・第５の実施形態においては、第１の実施の形態と同様に角部４１および角部２３にラインアレイスピーカＳ４１を設置しているが、他の構成であっても良い。例えば第２の実施の形態〜第４の実施の形態と同様の配置とすれば、第２の実施の形態〜第４の実施の形態と同様の効果を得ることが出来る。
【００７２】
・第５の実施形態においては、ラインアレイスピーカＳ４１のラインアレイスピーカユニットＳ４１ＬおよびラインアレイスピーカユニットＳ４１Ｒとして通常のホーン型のものを用いたが、他の構成であっても良い。例えば、上記変更例における薄型平板スピーカや、等波面スピーカをラインアレイスピーカユニットＳ４１ＬおよびラインアレイスピーカユニットＳ４１Ｒとして用いれば、上述したそれぞれの効果を得ることが可能となる。
【００７３】
・第５の実施形態においては、ラインアレイスピーカＳ４１は四角柱状であるが、他の構成であっても良い。例えば、四角柱状の角を落とした八角柱等であっても良い。要するに、それぞれのスピーカーユニットから発生する音が壁面等を音道として使用できる態様であれば、同様の効果を得ることが出来る。また、形状を異なるものとすることで、意匠上の効果を向上させうる。
【産業上の利用可能性】
【００７４】
本発明は、ラインアレイスピーカの設置方法および、係るラインアレイスピーカを設置した部屋に関する。特に、音の明瞭性向上させるラインアレイスピーカの設置方法および、係るラインアレイスピーカを設置した部屋に関する発明であるため、会議室などに、広く利用することが可能である。
【図面の簡単な説明】
【００７５】
【図１】本発明に係るラインアレイスピーカの設置方法および係る設置法方によってラインアレイスピーカが設置された部屋の一実施形態について説明する図面であって、ラインアレイスピーカが設置された部屋の模式図である。
【図２】本発明に係るラインアレイスピーカの設置方法および係る設置法方によってラインアレイスピーカが設置された部屋の一実施形態について説明する図面であって、ラインアレイスピーカが設置された部屋の要部拡大図である。
【図３】本発明に係るラインアレイスピーカの設置方法および係る設置法方によってラインアレイスピーカが設置された部屋の一実施形態について説明する図面であって、ラインアレイスピーカの斜視図である。
【図４】本発明に係るラインアレイスピーカの設置方法および係る設置法方によってラインアレイスピーカが設置された部屋の一実施形態について説明する概念図であって、（ａ）はラインアレイスピーカから発せられた音波の拡散状態を説明するための斜視図であり、（ｂ）は一般的なスピーカから発せられた音波の拡散状態を説明するための斜視図である。
【図５】本発明に係るラインアレイスピーカの設置方法および係る設置法方によってラインアレイスピーカが設置された部屋の一実施形態について説明する概念図であって、（ａ）はラインアレイスピーカから発せられた音波の拡散状態を説明するための正面図であり、（ｂ）は一般的なスピーカから発せられた音波の拡散状態を説明するための正面図である。
【図６】本発明に係るラインアレイスピーカの設置方法および係る設置法方によってラインアレイスピーカが設置された部屋の一実施形態について説明する概念図であって、（ａ）はラインアレイスピーカから発せられた音波の拡散状態を説明するための平面図であり、（ｂ）は一般的なスピーカから発せられた音波の拡散状態を説明するための平面図である。
【図７】本発明に係るラインアレイスピーカの設置方法および係る設置法方によってラインアレイスピーカが設置された部屋の一実施形態について説明する図面であって、ラインアレイスピーカのミラー効果について説明するためのグラフである。
【図８】本発明に係るラインアレイスピーカの設置方法および係る設置法方によってラインアレイスピーカが設置された部屋の一実施形態について説明する図面であって、ラインアレイスピーカが壁面に埋め込まれている状態を示す一部拡大平面図である。
【図９】本発明に係るラインアレイスピーカの設置方法および係る設置法方によってラインアレイスピーカが設置された部屋の第２の実施形態について説明する図面であって、ラインアレイスピーカが設置された部屋の模式図である。
【図１０】本発明に係るラインアレイスピーカの設置方法および係る設置法方によってラインアレイスピーカが設置された部屋の第３の実施形態について説明する図面であって、ラインアレイスピーカが設置された部屋の模式図である。
【図１１】本発明に係るラインアレイスピーカの設置方法および係る設置法方によってラインアレイスピーカが設置された部屋の第４の実施形態について説明する図面であって、ラインアレイスピーカが設置された部屋の模式図である。
【図１２】本発明に係るラインアレイスピーカの設置方法および係る設置法方によってラインアレイスピーカが設置された部屋の第５の実施形態について説明する図面であって、ラインアレイスピーカが設置された部屋の模式図である。
【図１３】本発明に係るラインアレイスピーカの設置方法および係る設置法方によってラインアレイスピーカが設置された部屋の第５の実施形態について説明する図面であって、ラインアレイスピーカが設置された部屋の要部拡大図である。
【図１４】本発明に係るラインアレイスピーカの設置方法および係る設置法方によってラインアレイスピーカが設置された部屋の第５の実施形態について説明する図面であって、ラインアレイスピーカの斜視図である。
【符号の説明】
【００７６】
１，２，３，４・・・壁面、５・・・天井面、６・・・床面、１２，１５，１６，２３，３４，３５，３６，４１・・・角部、Ｓ１２，Ｓ１５，Ｓ１６，Ｓ２３，Ｓ３４，Ｓ３５，Ｓ３６，Ｓ４１・・・ラインアレイスピーカ、Ｓ４１Ｌ，Ｓ４１Ｒ・・・ラインアレイスピーカユニット。
【図１】
2010124078.tif 000006
【図２】
2010124078.tif 000007
【図３】
2010124078.tif 000008
【図４】
2010124078.tif 000009
【図６】
2010124078.tif 000010
【図８】
2010124078.tif 000011
【図９】
2010124078.tif 000012
【図１０】
2010124078.tif 000013
【図１１】
2010124078.tif 000014
【図１２】
2010124078.tif 000015
【図１３】
2010124078.tif 000016
【図１４】
2010124078.tif 000017
【図５】
2010124078.tif 000018
【図７】
2010124078.tif 000019